【手続補正書】
【提出日】平成20年3月19日(2008.3.19)
【手続補正１】
【補正対象書類名】明細書
【補正対象項目名】特許請求の範囲
【補正方法】変更
【補正の内容】
【特許請求の範囲】
【請求項１】  自由液面を形成する液体部材と固定して設けられた固定反射部材とを有し、前記自由液面と固定反射部材との角度偏差を検出する傾斜検出装置と、該傾斜検出装置を収納する本体部と、該本体部に着脱可能なレーザ光線照射部とを具備することを特徴とするレーザ照準装置。
【請求項２】  前記傾斜検出装置の傾斜検出結果に基づき傾斜角表示、警告表示を行う表示部を具備した請求項１のレーザ照準装置。
【請求項３】  前記傾斜検出装置の傾斜検出結果に基づき整準を行う整準部を具備した請求項１のレーザ照準装置。
【請求項４】  前記本体部を整準する粗整準部と前記レーザ光線照射部を前記本体部とは独立して整準する精整準部とを具備する請求項１のレーザ照準装置。
【請求項５】  前記固定反射部材は前記レーザ光線照射部に設けられた請求項１のレーザ照準装置。
【請求項６】  前記傾斜検出装置が前記液体部材に投光する自由液面投光系と、前記固定反射部材に投光する固定反射部材投光系と、前記液体部材の自由液面からの反射光と前記固定反射部材からの反射光を受光素子に導く受光光学系と、受光素子が受光した２つの反射像の偏差から前記本体部の傾きを演算する演算処理部を具備する請求項１のレーザ照準装置。
【請求項７】  前記自由液面投光系に第１パターンが設けられ、前記固定反射部材投光系に第２パターンが設けられ、前記反射像はパターン像である請求項６のレーザ照準装置。
【請求項８】  前記第１パターン、第２パターンは暗視野パターンである請求項６のレーザ照準装置。
【請求項９】  前記自由液面投光系、固定反射部材投光系は同位相の直線偏光を投光し、前記液体部材への入射、反射の共通光路に１／４位相差板が設けられ、前記固定反射部材への入射、反射の共通光路に１／４位相差板が設けられ、前記受光光学系は前記液体部材、固定反射部材からの反射光のみを透過する偏光光学部材を具備した請求項６のレーザ照準装置。
【請求項１０】  投光光束の偏光方向が偏光板により方向付けされている請求項９のレーザ照準装置。
【請求項１１】  前記レーザ光線照射部はレーザ光線を発するレーザ光源を有し、前記レーザ光線を回転照射する請求項１のレーザ照準装置。
【請求項１２】  前記レーザ光線照射部は少なくとも１つのスポット光束を形成する請求項１のレーザ照準装置。
【請求項１３】  前記レーザ光線照射部はレーザ光線分割手段を具備し、該レーザ光線分割手段は一端部に直角プリズムが設けられた菱形プリズムであり、前記一端部はレーザ光線を透過光と反射光に分割する請求項１又は請求項１２のレーザ照準装置。
【請求項１４】  前記レーザ光線照射部はシリンダレンズを通してレーザ光線を照射する請求項１又は請求項１２のレーザ照準装置。
【請求項１５】  前記レーザ光線照射部は円柱レンズを通してレーザ光線を照射する請求項１又は請求項１２のレーザ照準装置。
【請求項１６】  前記円柱レンズに入射するレーザ光線の入射光束の断面方向を変更可能とし、扇状レーザ光線の広がり角を変更可能とした請求項１又は請求項１２のレーザ照準装置。
【請求項１７】  扇状レーザ光線は鉛直面上を走査し、扇状レーザ光線の中心光軸が鉛直方向にある場合と水平方向にある場合で、扇状レーザ光線の広がり角が変化する請求項１２又は請求項１６のレーザ照準装置。
【請求項１８】  前記レーザ光線照射部は２つの扇状レーザ光線を照射し、該２つの扇状レーザ光線は交差して照射される請求項１２のレーザ照準装置。
【請求項１９】  前記着脱可能なレーザ光線照射部は、遠隔操作により制御される請求項１のレーザ照準装置。
【請求項２０】  遠隔操作は光通信を利用する請求項１９のレーザ照準装置。
【請求項２１】  前記自由液面投光系の光源と、前記液体部材の自由液面とが共役な関係に配置されている請求項６のレーザ照準装置。
【請求項２２】  前記自由液面投光系、固定反射部材投光系、受光光学系がビームスプリッタを有し、該ビームスプリッタが半透過面を透過する透過光に対して傾斜する面を有している請求項６のレーザ照準装置。
【請求項２３】  前記液体部材が容器に収納され、該容器の上面は前記自由液面を透過する透過光に対して傾斜している請求項６のレーザ照準装置。
【請求項２４】  前記自由液面投光系はレーザ光線を前記液体部材に向け反射し、該液体部材からの反射光を透過するハーフミラーを具備し、該ハーフミラーと前記液体部材とは光学的に一体に構成されている請求項６のレーザ照準装置。
【請求項２５】  前記ハーフミラーと前記液体部材とは光学部材を介して光学的に一体化されている請求項２４のレーザ照準装置。
【請求項２６】  前記液体部材の屈折率と、前記光学部材の屈折率とは、近似値となっている請求項２５のレーザ照準装置。
【請求項２７】  前記液体部材と前記光学部材との間に反射防止膜が施されている請求項２６のレーザ照準装置。
【請求項２８】  前記自由液面投光系と、前記固定反射部材投光系とが共通の光源と、該光源からの光線を前記液体部材への光束と、前記固定反射部材への光束とに分割するビームスプリッタとを具備する請求項６のレーザ照準装置。
【請求項２９】  前記共通の光源からの光束が透過する様配置されたパターンを具備し、該パターンは更に前記液体部材への光束が透過するパターンと固定反射部材への光束を透過するパターンを有している請求項２８のレーザ照準装置。
【手続補正２】
【補正対象書類名】明細書
【補正対象項目名】０００９
【補正方法】変更
【補正の内容】
【０００９】
【課題を解決する為の手段】
本発明は、自由液面を形成する液体部材と固定して設けられた固定反射部材とを有し、前記自由液面と固定反射部材との角度偏差を検出する傾斜検出装置と、該傾斜検出装置を収納する本体部と、該本体部に着脱可能なレーザ光線照射部とを具備するレーザ照準装置に係り、又前記傾斜検出装置の傾斜検出結果に基づき傾斜角表示、警告表示を行う表示部を具備したレーザ照準装置に係り、又前記傾斜検出装置の傾斜検出結果に基づき整準を行う整準部を具備したレーザ照準装置に係り、又前記本体部を整準する粗整準部と前記レーザ光線照射部を前記本体部とは独立して整準する精整準部とを具備するレーザ照準装置に係り、又前記固定反射部材は前記レーザ光線照射部に設けられたレーザ照準装置に係り、又前記傾斜検出装置が前記液体部材に投光する自由液面投光系と、前記固定反射部材に投光する固定反射部材投光系と、前記液体部材の自由液面からの反射光と前記固定反射部材からの反射光を受光素子に導く受光光学系と、受光素子が受光した２つの反射像の偏差から前記本体部の傾きを演算する演算処理部を具備するレーザ照準装置に係り、又前記自由液面投光系に第１パターンが設けられ、前記固定反射部材投光系に第２パターンが設けられ、前記反射像はパターン像であるレーザ照準装置に係り、又前記第１パターン、第２パターンは暗視野パターンであるレーザ照準装置に係り、又前記自由液面投光系、固定反射部材投光系は同位相の直線偏光を投光し、前記液体部材への入射、反射の共通光路に１／４位相差板が設けられ、前記固定反射部材への入射、反射の共通光路に１／４位相差板が設けられ、前記受光光学系は前記液体部材、固定反射部材からの反射光のみを透過する偏光光学部材を具備したレーザ照準装置に係り、又投光光束の偏光方向が偏光板により方向付けされているレーザ照準装置に係り、又前記レーザ光線照射部はレーザ光線を発するレーザ光源を有し、前記レーザ光線を回転照射するレーザ照準装置に係り、又前記レーザ光線照射部は少なくとも１つのスポット光束を形成するレーザ照準装置に係り、又前記レーザ光線照射部はレーザ光線分割手段を具備し、該レーザ光線分割手段は一端部に直角プリズムが設けられた菱形プリズムであり、前記一端部はレーザ光線を透過光と反射光に分割するレーザ照準装置に係り、又前記レーザ光線照射部はシリンダレンズを通してレーザ光線を照射するレーザ照準装置に係り、又前記レーザ光線照射部は円柱レンズを通してレーザ光線を照射するレーザ照準装置に係り、又前記円柱レンズに入射するレーザ光線の入射光束の断面方向を変更可能とし、扇状レーザ光線の広がり角を変更可能としたレーザ照準装置に係り、又扇状レーザ光線は鉛直面上を走査し、扇状レーザ光線の中心光軸が鉛直方向にある場合と水平方向にある場合で、扇状レーザ光線の広がり角が変化するレーザ照準装置に係り、又前記レーザ光線照射部は２つの扇状レーザ光線を照射し、該２つの扇状レーザ光線は交差して照射されるレーザ照準装置に係り、又前記着脱可能なレーザ光線照射部は、遠隔操作により制御されるレーザ照準装置に係り、又遠隔操作は光通信を利用するレーザ照準装置に係り、又前記自由液面投光系の光源と、前記液体部材の自由液面とが共役な関係に配置されているレーザ照準装置に係り、又前記自由液面投光系、固定反射部材投光系、受光光学系がビームスプリッタを有し、該ビームスプリッタが半透過面を透過する透過光に対して傾斜する面を有しているレーザ照準装置に係り、又前記液体部材が容器に収納され、該容器の上面は前記自由液面を透過する透過光に対して傾斜しているレーザ照準装置に係り、又前記自由液面投光系はレーザ光線を前記液体部材に向け反射し、該液体部材からの反射光を透過するハーフミラーを具備し、該ハーフミラーと前記液体部材とは光学的に一体に構成されているレーザ照準装置に係り、又前記ハーフミラーと前記液体部材とは光学部材を介して光学的に一体化されているレーザ照準装置に係り、又前記液体部材の屈折率と、前記光学部材の屈折率とは、近似値となっているレーザ照準装置に係り、又前記液体部材と前記光学部材との間に反射防止膜が施されているレーザ照準装置に係り、又前記自由液面投光系と、前記固定反射部材投光系とが共通の光源と、該光源からの光線を前記液体部材への光束と、前記固定反射部材への光束とに分割するビームスプリッタとを具備するレーザ照準装置に係り、更に又前記共通の光源からの光束が透過する様配置されたパターンを具備し、該パターンは更に前記液体部材への光束が透過するパターンと固定反射部材への光束を透過するパターンを有しているレーザ照準装置に係るものである。
【手続補正３】
【補正対象書類名】明細書
【補正対象項目名】０１８２
【補正方法】変更
【補正の内容】
【０１８２】
【発明の効果】
以上述べた如く本発明によれば、レーザ光線を照射するレーザ光線照射部を本体部に対して着脱可能とし、更に、照射されるレーザ光線の水平、鉛直を傾斜検出装置で正確に補償できるので、基準スポット光束の形成、基準面の形成等種々の使用態様に対応することができ、レーザ照準装置としての高精度を維持しつつ汎用性を増すことができる。又、複数の面に同時に基準スポット光束、基準面を形成でき、又扇状レーザ光線として照射でき、更に広がり角を変更でき、近距離、遠距離に対応した輝度が得られる。粗整準と精整準とを独立して行えるので、整準動作が簡略化する。着脱されるレーザ光線照射部の傾斜を直接検知することができ、基準点、基準面の精度が向上する等優れた効果を発揮する。